(57)【要約】【課題】  一対のクリップ間の距離をチェーンの長さと関わりなく短くすることができる留具用アクセサリーを提供する。【解決手段】  本考案の留具用アクセサリー１０は、一対のアクセサリー体１１，１２と、両アクセサリー体１１，１２をつなぐ紐状体１３としてのチェーンと、各アクセサリー体に設けられたクリップ１６，１６と、一方のアクセサリー体１１に設けられた係止部１４と、他方のアクセサリー体１２に設けられ前記係止部１４と係合する被係止部１５と、を有する。【選択図】      図１
0003127432.tif 000002
【実用新案登録請求の範囲】
【請求項１】
一対のアクセサリー体と、両アクセサリー体をつなぐ紐状体と、各アクセサリー体に設けられたクリップと、一方のアクセサリー体に設けられた係止部と、他方のアクセサリー体に設けられ前記係止部と係合する被係止部と、を有することを特徴とする留具用アクセサリー。
【請求項２】
前記紐状体が、両方のアクセサリー体と着脱可能であることを特徴とする請求項１に記載の留具用アクセサリー。
【考案の詳細な説明】
【技術分野】
【０００１】
本考案はアクセサリーに関し、特に、衣類などの留具として、多様な目的に使用することができる留具用アクセサリーに関する。
【背景技術】
【０００２】
従来、留具として使用できるアクセサリーとしては、たとえば、特許文献１（実開平５−２０６０８号）に記載のものが知られている。これは、チェーンの一端にＣ環を取り付け、このＣ環を一方の鰐口クリップに取り付ける。チェーンの他方は、もう一つのＣ環に通して先端に、Ｃ環を通過できない大きさの引き輪を取り付ける。そして、Ｃ環を他方の鰐口クリップに取り付ける。止め輪はどちらのＣ環とも係止可能であり、係止するＣ環により鰐口クリップ間の長さが異なることになる。すなわち、チェーンを何種類かの長さに調整可能である。
【０００３】
また、特許文献２（登録実用新案第３０１７６３６号）は、一対のクリップをチェーンでつないだ留具を開示している。チェーンは一端が一方のクリップに係止され、他端が他方のクリップに設けられた孔を通過し、折り返して他端に設けられた引き輪を、チェーンの中間の任意のリンクと係止可能とすることで、長さの調節が細かくできるようにしている。
【特許文献１】実開平５−２０６０８号
【特許文献２】登録実用新案第３０１７６３６号
【考案の開示】
【考案が解決しようとする課題】
【０００４】
しかしながら、上記の従来の留具用アクセサリーは、チェーンで一対のクリップを接続し、チェーンの長さを調整することでクリップ間の距離を変更するので、チェーンを短くするにも限度があった。
【０００５】
本考案は、このような事実から考えられたもので、一対のクリップ間の距離をチェーンの長さと関わりなく短くすることができる留具用アクセサリーを提供することを目的としている。
【課題を解決するための手段】
【０００６】
上記の目的を達成するために本考案の留具用アクセサリーは、一対のアクセサリー体と、両アクセサリー体をつなぐ紐状体と、各アクセサリー体に設けられたクリップと、一方のアクセサリー体に設けられた係止部と、他方のアクセサリー体に設けられ前記係止部と係合する被係止部と、を有することを特徴とする。前記紐状体が、両方のアクセサリー体と着脱可能である構成とすることができる。
【考案の効果】
【０００７】
アクセサリー体の一方のクリップで衣類の一箇所を挟み、他方のアクセサリー体で別の箇所を挟む。挟む場所は、衣類の襟や裾などの端部に限らず、中間部分でもどこでもよい。両アクセサリー体の距離は、紐状体の長さだけ離れた状態で衣類の２箇所に係止される。しかし、紐状体の長さ以上に大きく開くことはない。
【０００８】
両アクセサリー体の間隔を狭くしたいときは、一方のアクセサリー体の係止部と他方のアクセサリー体の被係止部とを直接係合させて留める。すると、両方のアクセサリー体が接続した状態となり、アクセサリー体で挟んだ２箇所は近接する。これは、２箇所をボタンで留めたのと同じような留め方となる。
【考案を実施するための最良の形態】
【０００９】
以下、本考案の実施の形態を添付図面を参照して説明する。
図１は、本考案の留具用アクセサリーを、紐状体で接続して使用した状態を示す正面図で、図２は、アクセサリー体を係止部と被係止部で係合した状態を示す図である。
【００１０】
本考案の留具用アクセサリー１０は、一対のアクセサリー体１１と１２と、紐状体１３としてのチェーンとから構成されている。アクセサリー体１１には、係止部１４としてのフックが設けられ、アクセサリー体１２には被係止部１５としての環が設けられている。
【００１１】
図３は、アクセサリー体１１，１２を裏から見た図で、図４は下面図である。実施例におけるアクセサリー体１１，１２は、金属板をプレス加工し、表面に模様を刻印して多数の貴石類をはめ込んだものであるが、多様な形状や種類のものを使用することができる。裏面には、図４に示すように、鰐口のクリップ１６が固定されている。クリップ１６は図示しない弾性体により先端がアクセサリー体１１，１２の裏面に圧接するように構成されている。そして、クリップ１６の先端１６ａを押圧することによって、先端が開き、衣類の所望の位置を挟んで掴むことができる。
【００１２】
クリップ１６の中間には、環１６ｂが取り付けられている。この環１６ｂには、紐状体１３の両端部が係止される。環１６ｂと紐状体１３の接続は、着脱を可能にするため、たとえば、特許文献１に記載されている引き輪を使用することができる。また、紐状体１３は、長さの異なる物を複数用意しておくとよい。
【００１３】
なお、環１６ｂの位置は、クリップ１６の中間に限定されるものではなく、使用の際に邪魔にならない限りは、どこに設けてもよい。また、実施例では、紐状体１３としてチェーンを使用したが、チェーン以外のものを使用することもできる。
【００１４】
図示は省略するが、紐状体１３として、両側に引き輪を設けた長さの異なるチェーンを複数本取り付けて、使用する紐状体１３より短いチェーンは、取り外すか、又は、一端を引き輪のところで外し、外した引き輪をチェーンの適当な中間位置などに係止するようにしてもよい。使用する紐状体１３より長いチェーンは引き輪等を外す必要はなく、たるませておけばよい。
【００１５】
本考案の留具用アクセサリー１０の使い方を図１、図２によって説明する。たとえば、ボタンなどの留めを持たないジャッケトを着用する場合、左右の前身頃の一方の端縁２１を、アクセサリー体１１のクリップ１６で挟み、他方の前身頃の端縁２２を他方のアクセサリー体１２のクリップ１６で挟む。両アクセサリー体１１，１２間を、図１では紐状体１３で接続した。このようにすると、ジャケットの両端が開いた状態となり、リラックスした状態やラフな感じとなる。図示は省略するが長さの長い紐状体１３を複数取り付けておくと、装飾効果を上げることができる。
【００１６】
この状態から、係止部１４と被係止部１５を係合すると、図２に示すように、両方のアクセサリー体１１，１２が直接接続した状態となる。上着の端縁２１，２２は近接した状態となり、本考案の留具用アクセサリー１０がボタン代わりとなり、フォーマルな感じになる。
【００１７】
本考案の留具用アクセサリー１０は、上記の他に、以下のような利用の仕方ができる。
（１）  Ｔシャツのウェスト部分や胸元の生地を摘んで寄せて本考案の留具用アクセサリーで留めると、Ｔシャツのアレンジを楽しむことができる。
（２）開きの広い襟ぐりなどの襟もとを適当な広さに留めるのに利用できる。
（３）ストールやブランケットにつけて、羽織るものにすることができる。
（４）カーディガンの袖を通さず、肩に掛けて外れ止めにすることができる。
（５）ジャケットなどの襟に付けてブローチ代わりにすることができる。
（６）紐状体１３を長めのチェーンにして、帽子クリップやナプキンホルダーに容易く利用することができる。
【図面の簡単な説明】
【００１８】
【図１】本考案の留具用アクセサリーを、紐状体で接続して使用した状態を示す正面図である。
【図２】アクセサリー体を係止部と被係止部で係合した状態を示す図である。
【図３】アクセサリー体を裏から見た図である。
【図４】アクセサリー体の下面図である。
【符号の説明】
【００１９】
１０    留具用アクセサリー
１１    アクセサリー体
１２    アクセサリー体
１３    紐状体
１４    係止部
１５    被係止部
１６    クリップ
１６ａ  先端
１６ｂ  環
【図１】
0003127432.tif 000003
【図２】
0003127432.tif 000004
【図３】
0003127432.tif 000005
【図４】
0003127432.tif 000006